(57)【要約】  消費者物品のための容器が提供され、この容器は、第一の平坦な壁と、第一の端部によって第一の平坦な壁に接続された第二の平坦な壁と、第二の端部によって第一の平坦な壁に接続された第三の平坦な壁と、を含む容器の一部分を画定するブランクから少なくとも部分的に形成される。第一の端部の長軸方向は、第二の端部の長軸方向に対して横断方向である。第一の端部および第二の端部は、容器が層状ブランクから組み立てられるとき、接合部において接触する容器の隣接する端を形成する。第一の端部および第二の端部の各々は、内部表面および外部表面を持ち、また第一の端部および第二の端部の内部表面は、第一の切除領域（Ａ１）および第二の切除領域（Ａ２）をそれぞれ画定する。各々の切除領域（Ａ１、Ａ２）は、層状ブランクの厚さ（Ｔ）未満の残厚と、それぞれの端部の長軸方向の長さ、および長さを横断して延びるそれぞれの幅を有する１つ以上の切除ゾーンを含む。第一の切除領域および第二の切除領域（Ａ１、Ａ２）のうちの少なくとも１つは、第一の部分および第一の部分から延びる終端部を含む。終端部は、第一の部分の幅（Ｗ）から第一の切除領域および第二の切除領域（Ａ１、Ａ２）のうちのもう一方との接合部における点へと先細りになる。【選択図】図３
2018513061.tif 000002
【特許請求の範囲】
【請求項１】
消費者物品用容器であって、前記容器は厚さ（Ｔ）を持つ層状ブランクから少なくとも部分的に形成され、前記層状ブランクは前記容器の一部分を画定し、前記容器が、
第一の平坦な壁と、
第一の端部によって前記第一の平坦な壁に接続された第二の平坦な壁と、
第二の端部によって前記第一の平坦な壁に接続された第三の平坦な壁と、を含み、
前記第一の端部の長軸方向が、前記第二の端部の長軸方向に対して横断方向であり、前記容器が前記層状ブランクから組み立てられるとき、前記第一の端部および前記第二の端部が接合部において接触する前記容器の隣接する端を形成し、
前記第一の端部および前記第二の端部の各々は内部表面および外部表面を持ち、かつ前記第一の端部および前記第二の端部の前記内部表面は第一の切除領域（Ａ１）および第二の切除領域（Ａ２）をそれぞれ画定し、
各々の切除領域（Ａ１、Ａ２）は前記層状ブランクの前記厚さ（Ｔ）未満の残厚を持つ１つ以上の切除ゾーンを含み、かつ各々の切除領域（Ａ１、Ａ２）は、前記それぞれの端部の前記長軸方向の長さ、および前記長さに対して横断方向に延びるそれぞれの幅を持ち、
前記第一の切除領域および前記第二の切除領域（Ａ１、Ａ２）のうちの少なくとも１つは、第一の部分および前記第一の部分から延びる終端部を含み、前記終端部は前記第一の部分の幅（Ｗ）から前記第一の切除領域および第二の切除領域（Ａ１、Ａ２）のうちのもう一方との前記接合部における点へと先細りになる、消費者物品用容器。
【請求項２】
前記第一の切除領域および前記第二の切除領域（Ａ１、Ａ２）の両方がそれぞれの第一の部分と、前記それぞれの第一の部分から延び、かつ前記それぞれの第一の部分の幅から前記第一の切除領域および前記第二の切除領域（Ａ１、Ａ２）のうちのもう一方との前記接合部における点へと先細りになるそれぞれの終端部と、を含む、請求項１に記載の容器。
【請求項３】
各々の切除領域が、第一の切除ゾーンと、前記切除領域の前記第一の部分の中の前記端部の前記長軸方向に平行に延びる第二の切除ゾーンと、を含み、
前記第一の切除ゾーンおよび前記第二の切除ゾーンの各々がそれぞれ、前記第一の平坦な壁と、前記第一の平坦な壁または前記第二の平坦な壁と、のうちの１つと近接して配置される、請求項１または２に記載の容器。
【請求項４】
前記第一の切除領域（Ａ１）および前記第二の切除領域（Ａ２）のうちの少なくとも１つが複数の切除ゾーンを含み、前記切除領域の前記第一の部分の中ですべての前記切除ゾーンが前記端部の前記長軸方向に平行に延びる、請求項１〜３のいずれか１項に記載の容器。
【請求項５】
少なくとも１つの切除ゾーンが、前記第一の切除領域（Ａ１）または前記第二の切除領域（Ａ２）の前記先細りする終端部の少なくとも一部にわたって前記修正された端部の前記長軸方向に延びる、請求項４に記載の容器。
【請求項６】
少なくとも１つの切除ゾーンが、前記修正された端部の前記長軸方向とゼロでない角度を形成する方向に沿って、前記切除領域の前記先細りする終端部の一部にわたって延びる傾斜したセクションを含む、請求項３〜５のいずれか１項に記載の容器。
【請求項７】
前記第一の切除領域（Ａ１）および前記第二の切除領域（Ａ２）のうちの少なくとも１つが、前記切除領域の前記先細りする終端部の少なくとも一部にわたって前記端部の前記長軸方向に延びる第一の対の切除ゾーンと、前記第一の対の切除ゾーンとゼロでない角度を形成するそれぞれの傾斜したセクションを含む第二の対の切除ゾーンと、を含み、
前記第二の対の切除ゾーンの前記切除ゾーンが、前記第一の対の切除ゾーンの前記切除ゾーンに関して対称である、請求項６に記載の容器。
【請求項８】
前記切除ゾーンの各々の残厚が、前記層状ブランクの厚さ（Ｔ）の約５０パーセント未満である、請求項１〜７のいずれか１項に記載の容器。
【請求項９】
前記１つ以上の切除ゾーンの各々の残厚が、前記層状ブランクの前記厚さ（Ｔ）の少なくとも約５パーセントである、請求項１〜８のいずれか１項に記載の容器。
【請求項１０】
前記第一の切除領域（Ａ１）が、第一の部分と、前記第一の部分から延び、かつ前記第一の部分の幅から前記第二の切除領域（Ａ２）との前記接合部における点へと先細りになる終端部と、を含み、また前記第二の切除領域（Ａ２）が前記第二の切除領域（Ａ２）の全長にわたって前記端部の前記長軸方向に延びる複数の切除ゾーンを含む、請求項１に記載の容器。
【請求項１１】
第三の端部によって前記第一の平坦な壁に接続された第四の平坦な壁をさらに含み、前記容器が前記層状ブランクから組み立てられるとき、前記第一の端部および前記第三の端部が第二の接合部において接触する前記容器の隣接する端を形成するように、前記第三の端部の前記長軸方向は、前記第一の端部の前記長軸方向に対して横断方向であり、かつ前記第二の端部の前記長軸方向に実質的に平行であり、
前記第三の端部は内部表面と外部表面とを持ち、前記第三の端部の前記内部表面は前記第三の端部の前記長軸方向での長さ、および前記長さを横断して延びる幅を有する第三の切除領域（Ａ３）を画定し、
前記第三の切除領域（Ａ３）は、前記層状ブランクの前記厚さ（Ｔ）未満の残厚を持つ１つ以上の切除ゾーンを含み、かつ前記第一の切除領域（Ａ１）は、第一の部分および前記第一の部分から延びる２つの対向する終端部を含み、各々の終端部は前記第一の部分の幅（Ｗ）から前記第二の切除領域および第三の切除領域（Ａ２、Ａ３）それぞれのうちの１つの前記接合部における点へと先細りになる、請求項１に記載の容器。
【請求項１２】
前記容器が、前記第一の平坦な壁と、前記第一の平坦な壁または前記第二の平坦な壁のうちの少なくとも１つとの間に約１０ミリニュートンメートル未満のスプリングバック力を持つ、請求項１〜１１のいずれか１項に記載の容器。
【請求項１３】
喫煙物品を収容する、請求項１〜１２のいずれか１項に記載の容器。
【請求項１４】
消費者物品用の容器を形成するための層状ブランクであって、前記ブランクが厚さ（Ｔ）を持ち、かつ、
前記容器の第一の平坦な壁を形成するための第一の壁パネルと、
前記容器の第二の平坦な壁を形成するために第一の端部によって前記第一の壁パネルに接続された第二のパネルと、
前記容器の第三の平坦な壁を形成するために、第二の端部によって前記第一の平坦な壁に接続された第三の壁パネルと、を含み、
前記第一の端部の前記長軸方向が、前記第二の端部の前記長軸方向に対して横断方向であり、前記容器が前記層状ブランクから組み立てられるとき、前記第一の端部および前記第二の端部が接合部において接触する前記容器の隣接する端を形成し、
前記第一の端部および前記第二の端部は内部表面および外部表面を持ち、かつ前記第一の端部および第二の端部の前記内部表面は第一の切除領域（Ａ１）および第二の切除領域（Ａ２）をそれぞれ画定し、
各々の切除領域（Ａ１、Ａ２）は前記層状ブランクの前記厚さ（Ｔ）未満の残厚を持つ１つ以上の切除ゾーンを含み、かつ各々の切除領域（Ａ１、Ａ２）は、前記それぞれの端部の前記長軸方向の長さ、および前記長さに対して横断方向に延びるそれぞれの幅を持ち、
前記第一の切除領域および前記第二の切除領域（Ａ１、Ａ２）のうちの少なくとも１つは、第一の部分と、前記第一の部分から延び、かつ前記第一の部分の幅（Ｗ）から前記第一の切除領域および前記第二の切除領域（Ａ１、Ａ２）のうちのもう一方との前記接合部における点へと先細りになる終端部と、を含む、層状ブランク。
【請求項１５】
前記第一の切除領域および前記第二の切除領域（Ａ１、Ａ２）の両方がそれぞれの第一の部分と、前記それぞれの第一の部分から延び、かつ前記それぞれの第一の部分の幅から前記第一の切除領域および前記第二の切除領域（Ａ１、Ａ２）のうちのもう一方との前記接合部における点へと先細りになるそれぞれの終端部と、を含む、請求項１４に記載の層状ブランク。
【発明の詳細な説明】
【技術分野】
【０００１】
本発明は、喫煙物品（例えば、紙巻たばこ）などの消費財を保持するための特定の用途がある、消費財用の容器、およびこうした容器を形成するためのブランクに関する。
【背景技術】
【０００２】
紙巻たばこおよび葉巻たばこなどの喫煙物品は、通常フリップトップボックスまたはヒンジ式リッド付きボックスなどの軟質包装箱または硬質包装箱で提供される。これらは、典型的には、ボックス前部壁、ボックス後部壁、ボックス側壁およびボックス底部を有するボックス部を有する。それらはまた、通常、リッド前部壁、リッド後部壁、リッド側壁およびリッド上部を有するリッド部を有する。リッド部は、典型的には、容器の後部壁を横切って延びるヒンジ線に沿って前記ボックス部にヒンジ留めされる。ヒンジ線は、通常、予め折られた線、縦罫線、または横罫線として提供される。
【０００３】
硬質包装箱では、ボックスおよびリッドのいくつかの隅角部に丸みをつけるまたは面取りして容器に特徴ある外観を与えることが知られている。容器の端を形成する区域でブランクに縦罫線または横罫線を与えることにより、これを実現することが以前は典型的であった。これらの線により、２つの隣接する壁の間で隅角部が急に曲がる代わりに徐々に曲がるような方法でブランクを折り曲げることが可能になる。
【発明の概要】
【発明が解決しようとする課題】
【０００４】
しかし、容器が、直交する角度などの角度を形成する丸みを付けたまたは面取りした隣接する端を含む場合、時には容器を形成するためのブランクの折り曲げの間に容器の強度および仕上げが影響される場合がある。一部の事例では、隣接する丸みを付けたまたは面取りした端の間の接合部に穴またはギャップを形成する可能性さえもある。こうして、容器の視覚的および触覚的な知覚が影響を受けるだけでなく、容器が構造的に損傷される場合もある。
【０００５】
それゆえ、組み立て操作の間に損傷される傾向がより少なく、かつ改善された見た目およびより滑らかな感触を持つ消費財のための容器を提供することが望ましい。特に、１つのこのような容器は、標準的な梱包装置および技法を使用して、既存の機械および方法に対する著しい変化を必要とすることなく組み立てるのが簡単であることが望ましい。同時に、生産および組立プロセスをより簡単にし、より柔軟で、かつ組み立てられた容器に損傷を生じる可能性をより低くする消費財用の容器を製造するためのブランクを提供することが望ましい。
【課題を解決するための手段】
【０００６】
本発明の第一の態様によれば、消費者物品用容器が提供され、この容器は厚さ（Ｔ）を有する層状ブランクから少なくとも部分的に形成される。層状ブランクは第一の平坦な壁と、第一の端部によって第一の平坦な壁に接続された第二の平坦な壁と、第二の端部によって第一の平坦な壁に接続された第三の平坦な壁と、を含む容器の一部分を画定する。第一の端部の長軸方向は、第二の端部の長軸方向に対して横断方向である。第一の端部および第二の端部は、容器が層状ブランクから組み立てられるとき、接合部において接触する容器の隣接する端を形成する。第一の端部および第二の端部の各々は、内部表面および外部表面を有する。第一の端部および第二の端部の内部表面は、第一の切除領域（Ａ１）および第二の切除領域（Ａ２）をそれぞれ画定する。各々の切除領域（Ａ１、Ａ２）は層状ブランクの厚さ（Ｔ）未満の残厚を持つ１つ以上の切除ゾーンを含み、かつ各々の切除領域（Ａ１、Ａ２）は、それぞれの端部の長軸方向の長さおよび長さに対して横断方向に延びるそれぞれの幅を持つ。さらに、第一の切除領域および第二の切除領域（Ａ１、Ａ２）のうちの少なくとも１つは、第一の部分および第一の部分から延びる終端部を含み、終端部は第一の部分の幅（Ｗ）から第一の切除領域および第二の切除領域（Ａ１、Ａ２）のうちのもう一方との接合部における点へと先細りになる。
【０００７】
本発明の第二の態様によれば、消費者物品のための容器を形成するための層状ブランクが提供される。層状ブランクは厚さ（Ｔ）を持ち、また容器の第一の平坦な壁を形成するための第一の平坦な壁パネルと、容器の第二の平坦な壁を形成するための第一の端部によって第一の壁パネルに接続された第二の壁パネルと、容器の第三の平坦な壁を形成するために第二の端部によって第一の壁パネルに接続された第三の壁パネルと、を含む。第一の端部の長軸方向は、第二の端部の長軸方向に対して横断方向である。第一の端部および第二の端部は、容器が層状ブランクから組み立てられるとき、接合部において接触する容器の隣接する端を形成する。第一の端部および第二の端部は、内部表面および外部表面を有する。第一の端部および第二の端部の内部表面は、第一の切除領域（Ａ１）および第二の切除領域（Ａ２）をそれぞれ画定する。各々の切除領域（Ａ１、Ａ２）は、層状ブランクの厚み（Ｔ）より薄い残厚を有する１つ以上の切除ゾーンを含む。さらに、各々の切除領域（Ａ１、Ａ２）はそれぞれの修正された端部の長軸方向の長さ、および長さに対して横断方向に延びるそれぞれの幅を持つ。加えて、第一の切除領域および第二の切除領域（Ａ１、Ａ２）のうちの少なくとも１つは、第一の部分と、第一の部分から延び、かつ第一の部分の幅（Ｗ）から第一の切除領域および第二の切除領域（Ａ１、Ａ２）のうちのもう一方との接合部における点へと先細りになる終端部と、を含む。
【０００８】
当然のことながら、本発明の１つの態様に関連して説明した任意の特徴は、本発明のその他の任意の態様にも等しく適用できる。
【０００９】
容器の２つの隣接する角張っていない（例えば、丸みを付けたまたは面取りした）隅角部を形成するブランクの部分の中の材料が除去される、周知のブランク／容器とは対照的に、切除領域のうちの少なくとも１つは隣接する切除領域との交点に向かって先細りになる。より詳細には、実質的に容器の平坦な壁の端に沿って延びる切除領域の中の材料が除去される。切除領域は、第一の部分、例えば、少なくともその長さの一部にわたって実質的に一定の幅を持つものと、第一の部分から、切除領域と容器の同一の平坦な壁の実質的に隣接する端に沿って延びる別の切除領域との交点へと延びる少なくとも先細りする終端部と、を含む。
【００１０】
完全に除去されない場合、隣接する切除領域間の干渉が制限されるため、折り曲げる動作の間にブランク／容器を損傷するリスクは著しく減少する。こうして、容器を形成するときのブランクの折り曲げはより簡単になり、触るとより滑らかな表面の形成をもたらす。同時に、丸み付き／面取り付きの端部における容器の強度をより良好に保持しうる。
【００１１】
こうして、本発明による容器では、丸みを付けたまたは面取りした端などの角張っていない端を形成することは容易である。ブランクが、丸み付きまたは面取り付き端部で形状へと曲げられるとき、歪み全体の一部分が、切除領域の各々の厚さをより減った部分によって吸収され、それにより、結果として得られる容器の端部は、有利なことに、鋭いしわを用いて形成される場合より滑らかに所望の形状が得られると推測される。さらに、先細り形状および隣接する切除ゾーンの相互の配置のおかげで、容器の隣接する丸みを付けたまたは面取りした端は、干渉する切除ゾーンによって生じる可能性があるブランクまたは容器のいかなる著しい損傷もなしに形成される。こうして、組立動作の間に容器に穴またはギャップを形成するリスクが有利なことに大幅に減少される。
【００１２】
ブランクの外部表面は切除工程による影響を受けないため、容器の結果としての外部表面は、消費者の一部の視覚的検査時および触覚的検査時により滑らかである。さらに、この滑らかな丸みのある表面は比較的少ない数の切除ゾーンを用いて得ることができるので、したがって限定された材料の除去で済み、丸み付きまたは面取り付き隅角部における容器の強度は、有利なことに、容器の外見および耐性の両方が改善されるように調整されうる。
【００１３】
有利なことに、ブランクは、線形切除ツール（例えば、レーザ、ブレード）を用いて丸い隅角部から材料を正確に除去することにより製造されうる。切除ツールがブランクの所与の部分上を繰り返し通過することで、より高い割合の材料の制御された除去、すなわち、残厚の減少がもたらされる。
【００１４】
「端部」という用語は、本明細書で使用される場合、断面図に見られるように、角張っていない形状を有する容器の端部を特に指す。これは、例えば、断面図に見られるように、円弧状形状を有する容器の端部である、「湾曲した端部」を指す場合がある。「円弧状」という用語は、円環状弧、放物線状弧、楕円形状弧を含む任意の非直線を指す。さらにこれは、例えば、断面図に見られるように、容器の隣接する壁と０〜９０度の角度を形成する実質的に真っ直ぐな形状を持つ容器の端部である「面取り付きの端部」を指す。
【００１５】
「内部表面」という用語は、本明細書全体を通して、容器が組み立てられて、容器が閉じているときに、その容器の内部に面する（例えば、消費財に面する）ブランクの一部の側部を意味するために使用される。このように、内部表面は、容器が閉じているときには、消費者が直接見ることはできない。「外部表面」という用語は、本明細書全体を通して、容器が組み立てられると、その容器の外側に面するブランクの一部の側部を意味するために使用される。
【００１６】
「切除領域」という用語は、本明細書で使用される場合、端部上のすべての切除ゾーンを包囲するブランクの最小領域を指す。
【００１７】
「切除ゾーン」という用語は、本明細書で使用される場合、層状ブランクまたは容器の表面から材料が切除された（例えば、レーザービームまたはブレードによって取り除かれた）湾曲した端部の領域を指す。したがって、切除ゾーンの残厚は、層状ブランクの厚さ（Ｔ）より薄い。切除ゾーンは、ブランク内の溝として提供されることが好ましい。これは、レーザーまたはブレードなどの線形切除ツールを用いて形成されてもよい。すべての切除ゾーンが、ブランク内の平行溝により画定される実施形態では、切除領域の領域は、湾曲した端部上のすべての溝を包囲する領域と見なしてもよい。このように、これらの実施形態では、切除領域の幅は、湾曲した端部の第１の溝から最後の溝へ、溝に対して横断方向に延びるものとみなしてもよい。
【００１８】
本明細書では、「傾斜した」という用語は、基準方向（例えば、切除領域の長軸方向、または容器の壁の軸）に関してゼロでない角度を形成する方向に沿って延びる切除ゾーンのセクションを記述するために使用される。例えば、切除ゾーンの「傾斜した」セクションは、その全体が前記方向に沿って延びてもよい。言い換えれば、切除ゾーンの「傾斜した」セクションは、実質的に真っ直ぐな線に沿って延びてもよい。別の方法として、切除ゾーンの「傾斜した」セクションが沿って延びる方向は異なってもよい。したがって、切除ゾーンの「傾斜した」セクションは、ポリラインまたは湾曲した線に実質的に沿って延びてもよい。
【００１９】
「残厚」という用語は、本明細書で使用される場合、層状ブランクまたはブランクから形成された容器の壁の２つの相反する表面の間を測定した最小距離を指す。実際には、所与の位置の距離は、相反する面に対して局所的に垂直方向に測定される。切除ゾーンの「残厚」は、材料が切除ゾーンのすべてにわたり実質的に均一に除去された場合、除去されたゾーンにわたり一定になりうる（フラットプロファイル）。あるいは、切除ゾーンの残厚は、材料が切除ゾーンにわたり非均一に除去された場合、切除ゾーンの幅にわたり変化する場合がある（例えば、Ｖ状、Ｕ状溝）。
【００２０】
本明細書で使用される場合、「前部」、「後部」、「上側」、「下側」、「上部」、「下部」および「側部」という用語は、アクセス開口部を容器の上部に有する、容器が直立位置にあるときの、本発明による容器およびその構成要素の部分の相対的な位置を意味する。特に、容器がヒンジ・リッド容器の場合には、これはリッドが閉位置になっていて、かつヒンジ線が容器の後部にある、直立位置にある容器を意味する。本発明による容器を記述する時、描写する容器の向きに関係なく、これらの用語が使用される。
【００２１】
「スプリングバック力」という用語は、層状ブランクの特定の特性を意味する当技術分野で既知の用語である。それは、「しわ回復性」とよく呼ばれ、１５秒間９０度に曲げられて折り目をつけられたサンプルを保持するために必要な力（Ｎ）を意味する。測定は、１５秒間の終わりになされる。層状ブランクの一部のスプリンバック力は、（例えば、市販のＭｅｓｓｍｅｒ  ａｎｄ  Ｂｕｃｈｅｌ（英国）から入手可能な）既知のＰＩＲＡ  Ｃｒｅａｓｅ  ａｎｄ  Ｂｏａｒｄ  Ｓｔｉｆｆｎｅｓｓ  Ｔｅｓｔｅｒを使用して測定することができる。当技術分野で既知であるように、容器の湾曲した端部のスプリングバック力を測定するためには、試験すべき部分のサンプルを、最初に層状ブランクから除去する必要がある。丸みのある隅角のパックでは、本発明の目的のために、パックのスプリングバック力は、３８±１ミリメートル×３８±０．５ミリメートルの寸法のサンプルを用いて、ブランクの一方の側から２１±０．５ミリメートルに配置された隅角部形成部とともに評価される。このブランクは、試験の前の少なくとも２４時間、２２℃、相対湿度６０％で調整する必要がある。
【００２２】
最も一般的な言葉では、本発明による容器は、厚さ（Ｔ）を有する層状ブランクから少なくとも部分的に形成される。より詳細には、層状ブランクは第一の平坦な壁と、第一の端部によって第一の平坦な壁に接続された第二の平坦な壁と、第二の端部によって第一の平坦な壁に接続された第三の平坦な壁と、を含む容器の一部分を画定する。第一の端部の長軸方向が、第二の端部の長軸方向に対して横断方向であり、容器が層状ブランクから組み立てられるとき、第一の端部および第二の端部は接合部において接触する容器の隣接する端を形成する。第一の端部および第二の端部の各々は、内部表面および外部表面を持ち、また第一の端部および第二の端部の内部表面は、第一の切除領域（Ａ１）および第二の切除領域（Ａ２）をそれぞれ画定する。各々の切除領域（Ａ１、Ａ２）は、それぞれの端部の長軸方向の長さおよび長さに対して横断方向に延びるそれぞれの幅を持ち、かつ層状ブランクの厚さ（Ｔ）未満の残厚を持つ１つ以上の切除ゾーンを含む。第一の切除領域および第二の切除領域（Ａ１、Ａ２）のうちの少なくとも１つは、第一の部分および第一の部分から延びる終端部を含み、終端部は第一の部分の幅（Ｗ）から第一の切除領域および第二の切除領域（Ａ１、Ａ２）のうちのもう一方との接合部における点へと先細りになる。
【００２３】
一部の実施形態では、第一の切除領域および第二の切除領域（Ａ１、Ａ２）の両方は、それぞれの第一の部分と、それぞれの第一の部分から延び、かつそれぞれの第一の部分の幅から第一の切除領域および第二の切除領域（Ａ１、Ａ２）のうちのもう一方との接合部における点へと先細りになるそれぞれの終端部と、を含む。これらの実施形態では、第一の平坦な壁の隅角部は、第一の切除領域（Ａ１）の終端部の傾斜した切除ゾーンによって、および第二の切除領域（Ａ２）の傾斜した切除ゾーンによって区切られ、各々の傾斜した切除ゾーンは、それぞれの端部の長軸方向とゼロでない角度を形成する。
【００２４】
これは、隣接する端部間の相互作用を最小化すると考えられ、そのため組立工程の間に容器を損傷するリスクは特に制限される。さらに、容器の仕上がりおよび見た目は、有利なことに高められる。
【００２５】
各々の切除領域（Ａ１、Ａ２）は、切除領域の第一の部分の中に、第一の切除ゾーンと、端部の長軸方向に平行に延びる第二の切除ゾーンとを含むことが好ましい。さらに、第一の切除ゾーンおよび第二の切除ゾーンの各々がそれぞれ、第一の平坦な壁と、第二の平坦な壁または第三の平坦な壁のうちの１つと近接して配置される。
【００２６】
第一の切除領域（Ａ１）および第二の切除領域（Ａ２）のうちの少なくとも１つは複数の切除ゾーンを含み、切除領域の第一の部分の中のすべての切除ゾーンは端部の長軸方向に平行に延びることが好ましい。
【００２７】
さらに、少なくとも１つの切除ゾーンは、第一の切除領域（Ａ１）または第二の切除領域（Ａ２）の先細りする終端部の少なくとも一部にわたって修正された端部の長軸方向の真っ直ぐな線に沿って延びることが好ましい。これは、層状ブランクの先細りする終端部をさらに弱める上で役に立つ可能性がある。これは、容器の隣接する端部が接触する容器内の接合部の周りにより緩やかな湾曲および外形を作り出す役に立つ可能性がある。
【００２８】
上で特定される実施形態では、少なくとも１つの切除ゾーンが、修正された端部の長軸方向とゼロでない角度を形成する方向に沿って、切除領域の先細りする終端部の一部にわたって延びる傾斜したセクションを含むことが好ましい。
【００２９】
さらに、第一の切除領域（Ａ１）および第二の切除領域（Ａ２）のうちの少なくとも１つが、切除領域の先細りする終端部の少なくとも一部にわたって修正された端部の長軸方向に延びる第一の対の切除ゾーンと、第一の対の切除ゾーンとゼロでない角度を形成するそれぞれの傾斜したセクションを含む第二の対の切除ゾーンと、を含むことが好ましい。第二の対の切除ゾーンの中の切除ゾーンは、第一の対の切除ゾーンの中の切除ゾーンに関して対称である。
【００３０】
代替的な実施形態では、上述のとおり、第一の切除領域（Ａ１）は、第一の部分と、第一の部分から延び、かつ第一の部分の幅から第二の切除領域（Ａ２）との接合部における点へと先細りになる終端部と、を含み、一方で第二の切除領域（Ａ２）は、第二の切除領域（Ａ２）の全長にわたって端部の長軸方向に延びる複数の切除ゾーンを含む。それゆえ、これらの実施形態では、第一の平坦な壁の隅角部は、第二の切除領域（Ａ２）の真っ直ぐな切除ゾーンによって、および第一の切除領域（Ａ１）の終端部の第一の端部の長軸方向とゼロでない角度を形成する傾斜した切除ゾーンによって区切られる。
【００３１】
一部の実施形態では、層状ブランクは、第一の平坦な壁と、第一の端部によって第一の平坦な壁に接続された第二の平坦な壁と、第二の端部によって第一の平坦な壁に接続された第三の平坦な壁と、第三の端部によって第一の平坦な壁に接続された第四の平坦な壁と、を含む容器の一部分を画定する。第一の端部の長軸方向は第二の端部の長軸方向に対して横断方向であり、かつ第三の端部の長軸方向に対して横断方向である。第二の端部の長軸方向は第三の端部の長軸方向と実質的に平行である。容器が層状ブランクから組み立てられるとき、第一の端部および第二の端部は、第一の接合部において接触する容器の隣接する端を形成する。同様に、組み立てられた容器では、第一の端部および第三の端部は、第二の接合部において接触する容器の隣接する端を形成する。第一の端部、第二の端部、および第三の端部の各々は、内部表面および外部表面を持ち、内部表面は、第一の切除領域（Ａ１）、第二の切除領域（Ａ２）、および第三の切除領域（Ａ３）をそれぞれ画定する。各々の切除領域（Ａ１、Ａ２、Ａ３）は、それぞれの端部の長軸方向の長さ、および長さに対して横断方向に延びるそれぞれの幅を持ち、かつ層状ブランクの厚さ（Ｔ）未満の残厚を持つ１つ以上の切除ゾーンを含む。第一の切除領域（Ａ１）は、第一の部分と、第一の部分から延びる２つの相反する終端部とを含み、各々の終端部は第一の部分の幅（Ｗ）から第二の切除領域および第三の切除領域（Ａ２、Ａ３）のうちのそれぞれ１つとの接合部における点へと先細りになる。
【００３２】
それぞれの切除線は、ブランクの厚み（Ｔ）の少なくとも約５％の残厚を有することが、好ましい。それぞれの切除線が、ブランクの厚み（Ｔ）の少なくとも約１０％の残厚を有することが、より好ましい。それぞれの切除線は、ブランクの厚さ（Ｔ）の少なくとも約２０％の残厚を有することが、さらにより好ましい。追加、または代替として、それぞれの切除線が、ブランクの厚み（Ｔ）の約５０％未満の残厚を有することが、好ましい。それぞれの切除線が、ブランクの厚み（Ｔ）の約４０％未満の残厚を有することが、より好ましい。それぞれの切除線が、ブランクの厚み（Ｔ）の約３０％未満の残厚を有することが、さらにより好ましい。一部の特に好ましい実施形態では、それぞれの切除線が、ブランクの厚み（Ｔ）の約２０％の残厚を有することが、好ましい。
【００３３】
各々の切除ゾーンの切除された幅は、少なくとも約０．０１ミリメートルであることが好ましい。各々の切除ゾーンの切除された幅は、少なくとも約０．０５ミリメートルであることがより好ましい。追加として、または別の方法として、各々の切除ゾーンの切除された幅は、約０．４ミリメートル未満である。各々の切除ゾーンの切除された幅は、約０．２ミリメートル未満であることがより好ましい。一部の好ましい実施形態では、各々の切除ゾーンの切除された幅は、約０．０１ミリメートル〜約０．４ミリメートルである。各々の切除ゾーンの切除された幅は、約０．０５ミリメートル〜０．２ミリメートルであることがさらにより好ましい。
【００３４】
容器は、湾曲した端部によって接続される２つの平坦な壁の間に約１０ミリニュートンメートル未満のスプリングバック力を有することが好ましい。
【００３５】
本発明による容器には、消費財用の容器、特に喫煙物品などの細長い消費財用の容器としての用途がある。しかし、それはまた、いくつかの他の種類の消費財用に使用することができる。
【００３６】
ブランクは、厚紙、板紙、プラスチック、金属、またはその組み合わせを含むがこれに限定されない、任意の適切な材料から形成しうる。そのブランクは、約１００グラム／平方メートル〜約３５０グラム／平方メートルの重さを有する層状厚紙ブランクであることが好ましい。好ましい実施形態では、このブランクの厚さは、約１００マイクロメートル〜約５００マイクロメートルであり、約２００マイクロメートル〜約３５０マイクロメートルであることが好ましい。
【００３７】
容器は、随意に外側ラッパーを含んでもよく、それは、例えば、高密度または低密度のポリエチレン、ポリプロピレン、方向性ポリプロピレン、ポリ塩化ビニリデン、セルロースフィルム、またはその組み合わせなどの透明高分子フィルムであることが好ましく、また外側ラッパーは、従来的な方法で適用される。外側ラッパーは開封テープを含みうる。さらに、外側ラッパーは画像、消費者情報、またはその他のデータを印刷されていてもよい。
【００３８】
さらに、消費者物品は、金属箔または金属化紙で形成される内側パッケージに包まれた束の形態で容器内に提供されていてもよい。内側パッケージ材料は、金属化ポリエチレンフィルムおよびライナー材料のラミネートとして形成されうる。ライナー材料は、スーパー仕上げグラシンペーパーでもよい。さらに、内側パッケージ材料には、印刷受容性のトップコートを提供しうる。内部パッケージは、容器のリッドがそれぞれの開口位置にあるとき、消費財を除去することができるアクセス開口を有する。
【００３９】
容器は、幅の狭い２つの壁によって間隙を介した幅の広い２つの壁を含む、直方体であることが好ましい。本発明によるヒンジ・リッド容器は、長軸方向の直角の端および横断する直角の端を持つ直方体の形状としうる。別の方法として、ヒンジ・リッド容器は、１つ以上の長軸方向の丸み付きの端、横断する丸み付きの端、長軸方向の面取り付きの端または横断する面取り付きの端、またはその組み合わせを含みうる。例えば、本発明によるヒンジ・リッド容器は、限定されないが以下を含みうる。
−前部壁の１つまたは２つの長軸方向の丸み付きの端または面取り付きの端、および／または後部壁の１つまたは２つの長軸方向の丸み付きの端または面取り付きの端。
−前部壁の１つまたは２つの横断する丸み付きの端または面取り付きの端、および／または後部壁の１つまたは２つの横断する丸み付きの端または面取り付きの端。
−前部壁の１つの長軸方向の丸み付きの端および１つの長軸方向の面取り付きの端、および／または後部壁の１つの横断する方向の丸み付きの端および１つの横断する方向の面取り付きの端。
−前部壁の１つまたは２つの横断する丸み付きの端または面取り付きの端、および後部壁の１つまたは２つの長軸方向の丸み付きの端または面取り付きの端。
−第一の側壁の２つの長軸方向の丸み付きまたは面取り付きの端、または第二の側壁の２つの横断する方向の丸み付きまたは面取り付きの端。
【００４０】
容器が１つ以上の面取り付きの端を含む場合、面取り付きの端の幅は、約１ｍｍ〜約１０ｍｍであることが好ましく、約２ｍｍ〜約６ｍｍであることが好ましい。別の方法として、容器は、２つの以上明確な面取りが容器の少なくとも一方の端上に形成されるように間隔を置いた、平行な縦罫線または横罫線により形成された複数の面取り付き端を含みうる。
【００４１】
別の方法として、容器は、例えば、多角形（三角形または六角形など）、または半楕円形、または半円形といった、非長方形の横断断面を持ちうる。
【００４２】
本発明による容器は、例えば、紙巻たばこ、葉巻たばこまたはシガリロなど、細長い喫煙物品用のパックとしての特定用途がある。当然のことながら、その寸法を適切に選択することにより、本発明による容器は、異なる数の従来サイズ、キングサイズ、スーパーキングサイズ、スリムまたはスーパースリムの紙巻たばこ用に設計しうる。別の方法として、その他の消費財を容器内に収容しうる。
【００４３】
寸法の適切な選択によって、本発明による容器は、異なる合計数の喫煙物品、または異なる配置の喫煙物品を保持するよう設計しうる。例えば、寸法の適切な選択によって、本発明による容器は、合計１０〜３０の喫煙物品を保持するよう設計しうる。
【００４４】
喫煙物品は、喫煙物品の合計数に応じて、異なる並べ方で配列しうる。
【００４５】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。容器の寸法は、喫煙物品の長さ、および喫煙物品の並べ方に適合させることが好ましい。容器の外部寸法は通常、容器内に収容された喫煙物品の束の寸法よりも約０．５ｍｍ〜約５ｍｍだけ大きい。
【００４６】
本発明による容器の長さ、幅および奥行きは、容器の結果的な全体的寸法が、２０本の紙巻たばこの典型的な使い捨てパックの寸法と類似するような寸法としうる。
【００４７】
本発明による容器の高さは約６０ｍｍ〜約１５０ｍｍであることが好ましく、高さが約７０ｍｍ〜約１２５ｍｍであることがより好ましいが、ここで高さは、容器の底部壁から上部壁までを測定したものである。
【００４８】
本発明による容器の幅は約１２ｍｍ〜約１５０ｍｍであることが好ましく、幅が約７０ｍｍ〜約１２５ｍｍであることがより好ましいが、ここで幅は、容器の一方の側壁から他方の側壁までを測定したものである。
【００４９】
本発明による容器の奥行きは約６ｍｍ〜約１５０ｍｍであることが好ましく、奥行きが約１２ｍｍ〜約２５ｍｍであることがさらに好ましいが、ここで奥行きは、容器の前部壁から後部壁までを測定したものである。
【００５０】
容器の高さ対容器の奥行きの比は、約０．３対１〜約１０対１であることが好ましく、約２対１〜約８対１であることがさらに好ましく、約３対１〜５対１であることが最も好ましい。
【００５１】
容器の幅対容器の奥行きの比は、約０．３対１〜約１０対１であることが好ましく、約２対１〜約８対１であることがさらに好ましく、約２対１〜３対１であることが最も好ましい。
【００５２】
リッド後部壁の高さの、外側スリーブのボックス後部壁の高さに対する比は、約０対１（リッドが容器の上端に位置）〜約１対１であることが好ましく、約１対５〜約１対１０であることがさらに好ましく、約１対６〜約１対８であることが最も好ましい。
【００５３】
外側スリーブのリッド前部壁の高さの、外側スリーブのボックス前部壁の高さに対する比は、約１対０（リッドが前部壁全体を覆う）〜約１対１０であることが好ましく、約１対１〜約１対５であることがさらに好ましく、約１対２〜約１対３であることが最も好ましい。
【００５４】
本発明による容器の外部表面は、製造元またはブランドのロゴ、商標、スローガンおよびその他の消費者情報およびしるしを用いた、印刷、エンボス加工、デボス加工またはその他の方法で装飾されうる。
【００５５】
本発明による容器は、ブランクに切除ゾーンを形成する工程を含むために修正された従来の装置および方法を使用して充填され、組み立てられてもよい。切除ゾーンは、レーザーまたはブレードなどの切除ツールを使用して生成されてもよい。レーザーツールに必要とされる最小の調整で、幅広い種類の切除プロファイルおよび構成を可能にすることができる切除ツールとして、レーザーが特に好ましい。例えば、レーザーは、ブランクの所与の位置を繰り返し通過して、異なる量の材料を繰り返し除去することができ、非常に細かく制御された切除プロファイルを可能にする。これは、幅が狭い、細かく切除された線が要求される場合に、特に有利である。切除領域にわたり変化する除去強度（「奥行」）で任意の種類のパターンを形成するために、レーザーおよびブランクの相対的運動を正確に制御することができる。
【００５６】
本発明は以下の添付図面を参照しながら、例証としてのみであるがさらに説明する。
【図面の簡単な説明】
【００５７】
【図１】ブランクのスプリングバック力を判定するために使用する層状ブランクの例示的な一部を図示する。
【図２】ブランクのスプリングバック力を判定するための装置を図示する。
【図３】本発明による、容器の製造のための層状ブランクの第一の実施形態の詳細の概略的な上面図を示す。
【図４】本発明による容器の製造のための層状ブランクの第二の実施形態の詳細の概略的な上面図を示す。
【００５８】
図３は、厚さ（Ｔ）が約３００マイクロメートルの厚紙層状ブランク１００の表面を図示する。これは、容器の第一の平坦な壁を形成するための第一の壁パネル１０１と、容器の第二の平坦な壁を形成する第二の壁パネル１０２と、容器の第三の平坦な壁を形成する第三の壁パネル１０３とを含む。第一の端部１０４は第一の壁パネル１０１と第二の壁パネル１０２とを接続する。第二の端部１０５は第一の壁パネル１０１と第三の壁パネル１０３とを接続する。第一の端部１０４の長軸方向は第二の端部１０５の長軸方向と実質的に直交する。ブランクから容器が組み立てられるとき、第一の端部１０４および第二の端部１０５は接合部において接触する容器の隣接する端を形成する。
【００５９】
第一の端部１０４および第二の端部１０５の表面は、第一の切除領域Ａ１および第二の切除領域Ａ２をそれぞれ画定する。以下により詳細に説明されるように、各々の切除領域Ａ１、Ａ２は、残厚が層状ブランクの厚さ（Ｔ）より小さい複数の切除ゾーンを含む。切除ゾーンは、容器を組み立てるときにブランク１００を簡単に曲げることができ、容器の丸みを付けた隅角部を形成することができるように、脆弱な領域を画定する。切除ゾーンの各々の残厚は、ブランクの厚さ（Ｔ）の約２０パーセントである。切除ゾーンはブランク１００内にレーザー切除によって形成される。
【００６０】
各々の切除領域Ａ１、Ａ２はそれぞれの端部１０４、１０５の長軸方向の長さ、および長さに対して横断方向に延びるそれぞれの幅を持つ。
【００６１】
第一の切除領域Ａ１は、第一の部分１０６と、第一の部分１０６から延び、かつ第一の部分１０６の幅から第二の切除領域Ａ２との接合部における点へと先細りになる終端部１０７と、を含む。
【００６２】
第一の切除領域Ａ１は、切除領域Ａ１の第一の部分１０６の中に、第一の切除ゾーン２０１と、第一の端部１０４の長軸方向内で平行に延びる第二の切除ゾーン２０２とを含む。第一の切除ゾーン２０１および第二の切除ゾーン２０２は、終端部１０７にわたって第二の切除領域Ａ２との接合点における終端へと先細りになる。
【００６３】
第一の切除ゾーン２０１は第一の壁パネル１０１に近接して配置され、また第二の切除ゾーン２０２は第二の壁パネル１０２に近接して配置される。さらに、第一の切除領域Ａ１は、切除領域の第一の部分１０６の中で、第一の端部１０４の長軸方向に平行に延びる４つの切除ゾーン２０３、２０４、２０５、２０６を含む。
【００６４】
切除ゾーン２０４および２０５によって形成される切除ゾーンの対は、第一の端部１０４の長軸方向に、さらに第一の切除領域Ａ１の先細りする終端部１０７の一部へと延びる。対照的に、切除ゾーン２０３と２０６の対は、切除ゾーン２０４および２０５と約１０度の角度を形成するそれぞれの傾斜したセクション２０３１および２０６１を含む。図３に図示するように、切除ゾーン２０３および２０６は切除ゾーン２０４および２０５によって形成される対に関して対称である。
【００６５】
第二の切除領域Ａ２は、第二の切除領域Ａ２の全長にわたって第二の端部１０５の長軸方向に延びる複数の切除ゾーン３００を含む。こうして、第一の平坦な壁パネル１０１の隅角部は、第二の切除領域Ａ２の実質的に真っ直ぐな切除ゾーン３００によって、および第一の切除領域Ａ１の切除されたゾーン２０１の先細り部によって区切られる。
【００６６】
図４は別の厚紙の層状ブランク４００の表面を図示する。厚紙の層状ブランク４００が、厚紙の層状ブランク１００から異なるところのみ以下に記述され、また層状ブランク１００の対応する部分と同じ特徴および機能を有するブランク４００の部分は可能な場合はいつでも同じ参照番号によって言及される。
【００６７】
図４に図示されるように、ブランク４００は、第二の切除領域Ａ２も、第一の部分４０６と、第一の部分４０６から延び、かつ第一の部分４０６の幅から第一の切除領域Ａ１との接合部における点へと先細りになる終端部４０７とを含むため、ブランク１００とは異なる。第二の切除領域Ａ２内の切除ゾーン５０１、５０２、５０３、５０４、５０５、５０６の相互配置は、上記の第一の切除領域Ａ１内の切除ゾーン２０１、２０２、２０３、２０４、２０５、２０６の相互配置に対応する。
【００６８】
こうして、ブランク４００では、第一の平坦な壁パネル１０１の隅角部は、第二の切除領域Ａ２の切除ゾーン５０１の先細り部によって、および第一の切除領域Ａ１の切除されたゾーン２０１の先細り部によって区切られる。
【図１】
2018513061.tif 000003
【図２】
2018513061.tif 000004
【図３】
2018513061.tif 000005
【図４】
2018513061.tif 000006
【国際調査報告】
2018513061.tif 000007
2018513061.tif 000008